(57)【特許請求の範囲】
【請求項１】
カーテンの上縁部に沿って横方向に縫い付けられる長尺のテープと、このテープに横方向に相互間隔をおいて取付けられる弾性合成樹脂製の複数の吊り具と、これら複数の吊り具の間を連結する紐体とを具備し、
前記テープは、湾曲することにより前記カーテンの上縁部に波形を形成すべく所要の腰のある織物又は編物製で、カーテンに密着する第１の面と、その反対側の第２の面とを有するテープ基体と、このテープ基体の第２の面上に長手方向に相互間隔をおいて複数設けられ横方向の両側縁においてテープ基体に融合し両融合部の間においてテープ基体の第２の面に離れて重なる重合片とを具備し、
前記吊り具は、本体と、この本体に結合され、ランナの吊り環へ掛け止め可能なフック体とから成り、前記紐体を係止する結合部を備え、
前記吊り具の本体は、縦方向に伸びる主杆と、前記重合片の下縁からテープ基体との間へ挿入するために、主杆の下部から主杆の背部に沿って上方へ伸びる下部挿入杆と、重合片の上縁からテープ基体との間へ挿入するために、主杆の上部から主杆の背部に沿って下方へ伸びる上部挿入杆とを具備し、
前記吊り具の上部挿入杆及び下部挿入杆は、平面状である主杆の背面にほぼ平行で、横断面形状において、カーテンに対する横方向寸法がカーテンに対する前後方向寸法より大きい扁平板状に形成され、
前記紐体は、前記テープ上に配置された隣接吊り具の相互間隔よりやや狭い間隔で各吊り具に係止され、それによって、紐体の緊張状態においてテープにおける隣接吊り具間が湾曲し、前記カーテンの上縁部に横方向に連続する波形が形成されることを特徴とするカーテン吊り装置。
【請求項２】
前記フック体が、前記主杆に対してラチェット式に上下方向に相対移動自在に結合され、かつ前記紐体を係止する結合部としてのリング部を備えていることを特徴とする請求項１に記載のカーテン吊り装置。
【発明の詳細な説明】
【０００１】
【発明の属する技術分野】
本発明は、カーテンの上縁部に沿って横方向に長尺のテープを縫い付け、このテープに横方向に相互間隔をおいて複数の吊り具を取付け、さらに吊り具同士を紐体で連結することにより、カーテンを簡易に、しかも美しいウエーブを形成して吊り止めることができるカーテン吊り装置に関する。
【０００２】
【従来の技術】
従来、カーテンの上縁部に沿って横方向に長尺のテープを縫い付け、このテープに横方向に相互間隔をおいて複数の吊り具を取付けることにより、カーテンを簡易に吊り止めることができるカーテン吊り装置が知られている。
【０００３】
【発明が解決しようとする課題】
本発明は、フック装着用のテープを用いるカーテン吊り装置であって、カーテンを簡易に、しかも美しいウエーブを形成して吊り止めることができるものを提供することを課題としている。
【０００４】
【課題を解決するための手段】
本発明においては、カーテン吊り装置１を、カーテン２１の上縁部に沿って横方向に縫い付けられる長尺のテープ２と、このテープ２に横方向に相互間隔をおいて取付けられる弾性合成樹脂製の複数の吊り具３と、これら複数の吊り具３の間を連結する紐体６とで構成する。
テープ２には、湾曲することによりカーテン２１の上縁部に波形を形成すべく所要の腰のある織物又は編物製素材を用い、テープ基体２ａと重合片２ｂとを具備させる。テープ基体２ａのカーテン２１と反対側の面２ｄ上に、長手方向に相互間隔をおいて複数の重合片２ｂを設ける。重合片２ｂは、横方向の両側縁においてテープ基体２ａに融合し両融合部の間においてテープ基体２ａの面２ｄ上に離れて重なる。
吊り具３は、本体４とフック体５とから成り、本体４には、縦方向に伸びる主杆４ａと、それの上下の背部に伸びる下部挿入杆４ｂ、上部挿入杆４ｃとを具備させる。下部挿入杆４ｂは、テープ２の重合片２ｂの下縁からテープ基体２ａとの間へ挿入するために、主杆４ａの下部からそれの背部に沿って上方へ伸び、上部挿入杆４ｃは、重合片２ｂの上縁からテープ基体２ａとの間へ挿入するために、主杆４ａの上部からそれの背部に沿って下方へ伸びる。フック体５は、本体４に結合され、ランナの吊り環へ掛け止め可能である。フック体５は、紐体６を係止するための結合部であるリング部５ｃを備えている。
紐体６は、テープ２上に配置された隣接吊り具３，３の相互間隔よりやや狭い間隔で各吊り具３に係止され、それによって、紐体６の緊張状態においてテープ２における隣接吊り具３，３間が湾曲し、カーテン２１の上縁部に横方向に連続する波形が形成される。
【０００５】
【発明の実施の形態】
図面を参照して本発明の実施の形態を説明する。図１は本発明に係るカーテン吊り装置のカーテンへの装着状態の斜視図、図２は本発明に係るカーテン吊り装置のカーテンへの装着状態の正面図、図３は図２におけるＩＩＩ−ＩＩＩ断面図、図４はテープの横断平面図、図５はテープの縦断側面図、図６はカーテン吊り具の側面図、図７はカーテン吊り具の背面図である。
【０００６】
図１乃至図３において、カーテン吊り装置１は、カーテン２１の上縁部に沿って横方向に縫い付けられる長尺のテープ２と、このテープ２に横方向に相互間隔をおいて取付けられる弾性合成樹脂製の複数の吊り具３とを具備する。
【０００７】
図２、図４、図５に示すように、テープ２は、長尺帯状のテープ基体２ａと、テープ基体２ａ上に設けられる重合片２ｂとを具備する。テープ基体２ａは、湾曲することによりカーテン２１の上縁部に波形を形成することができる腰のある織物又は編物製で、カーテン２１に密着する第１の面２ｃと、その反対側の第２の面２ｄとを有する。テープ基体の面２ｄ上に、長手方向に相互間隔をおいて複数の重合片２ｂが設けられる。重合片２ｂは、テープ２の長手方向の両側辺においてテープ基体２ａに融合し、上下の辺においてテープ基体２ａとの間が開放しており、面２ｄ上に離れて重なる。図示の実施形態において、テープ２は、テープ基体２ａと重合片２ｂとを一体に織成又は編成したものである。
【０００８】
図６、図７に示すように、吊り具３は、本体４と、この本体４にラチェット式に移動自在に結合され、ランナの吊り環へ掛け止め可能なフック体５とから成る。  フック体５は、本体４にラチェット式に係合するラチェット係合部５ａと、ラチェット係合部５ａの前方上縁から立ち上がるフック５ｂと、ラチェット係合部５ａの前面下部に突設されたリング部５ｃとを具備する。リング部５ｃは、紐体６を係止するための結合部であるから、その作用のために他の形態を採用しうることが容易に理解される。そして紐体６の結合部は、本体４又はフック体５の何れかの部位に設けられる。
【０００９】
吊り具本体４は、縦方向に伸びる主杆４ａと、テープ２の重合片２ｂの下縁からテープ基体２ａとの間へ挿入するための下部挿入杆４ｂと、重合片２ｂの上縁からテープ基体２ａとの間へ挿入するための上部挿入杆４ｃとを具備する。下部挿入杆４ｂは、薄板状で、主杆４ａの下部からそれの背部に沿って上方へ伸び、主杆４ａの１／２の高さに到らずに終結する。上部挿入杆４ｃは、同じく薄板状で、主杆４ａの上部からそれの背部に沿って下方へ伸び、主杆４ａの１／２の高さに到らずに終結する。
【００１０】
吊り具３は、テープ２への装着状態において、主杆４ａと挿入杆４ｂ、４ｃとの間で重合片２ｂを挟持する。主杆４ａと挿入杆４ｂ、４ｃの挟持面が平面状であるから、装着状態において、主杆４ａが軸周りに回転しにくく、常時フック体５が、カーテンに対してほぼ垂直に起立するように配置される。このため、フック体５をランナへ掛け止める作業を迅速に行える。主杆４ａが、所定の上下幅にわたって、カーテン２１の上縁部に沿うことになるので、この部位でカーテン２１が折れ曲がることがない。
【００１１】
紐体６は、テープ２上に配置された隣接する吊り具３，３の相互間隔よりやや狭い間隔で各吊り具３のリング部５ｃに係止される。従って、紐体６の緊張状態において、隣接吊り具３，３間においてテープ２が湾曲し、カーテン２１の上縁部に横方向に連続する波形が形成される。紐体６をリング部５ｃに係止する手段としては、これをリング部５ｃに直接結び付ける方法や、紐体６に予め所定の間隔で小型のナスカンのような係止具を取り付けておき、この係止具を介して紐体６をリング部５ｃに係止する等の方法がある。
【００１２】
図８には、吊り具３の他の実施形態を示す。この実施形態においては、吊り具３の本体４とフック体５とが、一体のものとして構成される。この場合に、本体４に対するフック体５の上下位置の異なるものを複数用意すれば、吊り具３を適宜選択してカーテンの吊り位置を上下に調整できる。
【００１３】
【発明の効果】
以上のように、本発明においては、カーテン２１の上縁にヒダ縫い等を施すことなく、テープ２を縫い付け、吊り具３に紐体６を係止する簡単な加工だけで、紐体６の緊張状態において、隣接吊り具３，３間においてテープ２が湾曲し、カーテン２１の上縁部に横方向に連続する美しい波形を形成することができる。吊り具３が、主杆４ａの上下位置においてテープ２の重合片２ｂに係止されるから、転倒、揺動、軸周り回転が起きにくく、カーテンをきれいに吊ることができ、またランナへの装着を迅速に行える。主杆４ａがカーテン２１の上縁部を補強するので、吊り位置が下方にあってもカーテン２１の上縁部が折れ曲がりにくい。吊り具３の上部挿入杆４ｃ及び下部挿入杆４ｂを主杆４ａの背面にほぼ平行な扁平板状に形成すれば、テープ２に対する主杆４ａの軸周りの回転がより効果的に阻止されるし、挿入杆４ｂ，４ｃの挿入によって、その挿入部においてカーテン２１が膨らむことがないので、カーテン２１をきれいに吊ることができる。上下２つの挿入杆４ｂ，４ｃによってカーテン２１に係止されるので、応力が分散し、一方の挿入杆のみに応力が集中することがなく、従って、これらを扁平板状に肉薄に形成しても強度上の問題が生じない。
【図面の簡単な説明】
【図１】本発明に係るカーテン吊り装置のカーテンへの装着状態の斜視図である。
【図２】本発明に係るカーテン吊り装置のカーテンへの装着状態の正面図である。
【図３】図２におけるＩＩＩ−ＩＩＩ断面図である。
【図４】テープの横断平面図である。
【図５】テープの縦断側面図である。
【図６】カーテン吊り具の側面図である。
【図７】カーテン吊り具の背面図である。
【図８】他の実施形態のカーテン吊り装置の正面図である。
【符号の説明】
１    カーテン吊り装置
２    テープ
２ａ  テープ基体
２ｂ  重合片
２ｃ  第１の面
２ｄ  第２の面
３    カーテン吊り具
４    本体
４ａ  主杆
４ｂ  下部挿入杆
４ｃ  上部挿入杆
５    フック体
５ａ  係合部
５ｂ  フック
５ｃ  リング部（結合部）
６    紐体
２１  カーテン
【図１】
0003608155.tif 000002
【図２】
0003608155.tif 000003
【図３】
0003608155.tif 000004
【図４】
0003608155.tif 000005
【図５】
0003608155.tif 000006
【図６】
0003608155.tif 000007
【図７】
0003608155.tif 000008
【図８】
0003608155.tif 000009